【手続補正書】
【提出日】平成17年12月1日(2005.12.1)
【手続補正１】
【補正対象書類名】明細書
【補正対象項目名】発明の名称
【補正方法】変更
【補正の内容】
【発明の名称】データ記録装置及び出力装置、データ出力システム、データ記録方法及び出力方法、データ記録及び出力方法、並びに記録媒体
【手続補正２】
【補正対象書類名】明細書
【補正対象項目名】特許請求の範囲
【補正方法】変更
【補正の内容】
【特許請求の範囲】
【請求項１】 
符号化ストリームが多重化された多重化ストリームが入力され、入力されたこの多重化ストリームの最大ビットレートを検出するビットレート検出手段と、
入力された上記多重化ストリームを記録媒体に記録するとともに、上記ビットレート検出手段により検出したこの多重化ストリームの最大ビットレートを記録媒体に記録する記録手段とを備えるデータ記録装置。
【請求項２】
上記多重化ストリームとしてトランスポートストリームが入力される入力手段と、
入力された上記トランスポートストリームの基準参照時間を検出する基準参照時間検出手段と、
上記基準参照時間検出手段が検出した基準参照時間に同期したタイムスタンプを生成し、このタイムスタンプを入力された上記トランスポートストリームの各パケットに付加するタイムスタンプ付加手段と、
上記タイムスタンプ付加手段によりタイムスタンプが付加された上記トランスポートストリームを記憶する記憶手段とを備え、
上記記録手段は、上記トランスポートストリームが上記記憶手段に格納されているときにはこのトランスポートストリームをこの記憶手段から抜き出して一定レートで記録媒体に記録し、上記トランスポートストリームが上記記憶手段に格納されていないときには記録媒体への記録を停止することを特徴とする請求項１記載のデータ記録装置。
【請求項３】
符号化ストリームが多重化された多重化ストリームを記録媒体から再生する再生手段と、
上記再生手段により再生した多重化ストリームをディジタルインターフェースを介して外部に出力するディジタル伝送手段とを備え、
上記記録媒体には、上記多重化ストリームとともに、記録する際に検出したこの多重化ストリームの最大ビットレートが記録されており、
上記ディジタル伝送手段は、上記最大ビットレートに基づき上記ディジタルインターフェースのデータ転送速度を確保して、上記多重化ストリームを出力することを特徴とするデータ出力装置。
【請求項４】
上記ディジタル伝送手段は、上記多重化ストリームとともに上記最大ビットレートを、上記ディジタルインターフェースを介して外部に出力することを特徴とする請求項３記載のデータ出力装置。
【請求項５】
上記記録媒体には、多重化ストリームとしてトランスポートストリームが記録され、このトランスポートストリームには、基準参照時間に同期したタイムスタンプが各パケットに付加され、各パケットに付加されている上記タイムスタンプに基づき、上記ディジタル伝送手段により伝送する上記トランスポートストリームの伝送時刻を制御する伝送制御手段を備えることを特徴とする請求項３記載のデータ出力装置。
【請求項６】
符号化ストリームが多重化された多重化ストリームが入力され、入力されたこの多重化ストリームの最大ビットレートを検出するビットレート検出手段と、
入力された上記多重化ストリームとともに、上記ビットレート検出手段により検出したこの多重化ストリームの最大ビットレートを記録媒体に記録する記録手段と、
上記記録媒体から上記記録手段が記録した多重化ストリームを再生する再生手段と、
上記再生手段により再生した多重化ストリームをディジタルインターフェースを介して外部に出力するディジタル伝送手段とを備え、
上記ディジタル伝送手段は、上記多重化ストリームとともに記録媒体に記録された上記最大ビットレートに基づき上記ディジタルインターフェースのデータ転送速度を確保して、上記多重化ストリームを出力することを特徴とするデータ出力システム。
【請求項７】
上記ディジタル伝送手段は、上記多重化ストリームとともに上記最大ビットレートを、上記ディジタルインターフェースを介して外部に出力することを特徴とする請求項６記載のデータ出力システム。
【請求項８】
符号化ストリームが多重化された多重化ストリームを入力し、
入力した上記多重化ストリームの最大ビットレートを検出し、
入力した上記多重化ストリームとともに検出したこの多重化ストリームの最大ビットレートを記録媒体に記録することを特徴とするデータ記録方法。
【請求項９】
多重化ストリームと、この多重化ストリームを記録する際に検出したこの多重化ストリームの最大ビットレートとを記録媒体から再生し、
上記最大ビットレートに基づきディジタルインターフェースのデータ転送速度を確保し再生した上記多重化ストリームを上記ディジタルインターフェースを介して外部に出力することを特徴とするデータ出力方法。
【請求項１０】
上記多重化ストリームとともに上記最大ビットレートをディジタルインターフェースを介して外部に出力することを特徴とする請求項９記載のデータ出力方法。
【請求項１１】
符号化ストリームが多重化された多重化ストリームを入力し、
入力した上記多重化ストリームの最大ビットレートを検出し、
入力した上記多重化ストリームとともに検出したこの多重化ストリームの最大ビットレートを記録媒体に記録し、
上記多重化ストリームと、この多重化ストリームの上記最大ビットレートとを上記記録媒体から再生し、
上記最大ビットレートに基づきディジタルインターフェースのデータ転送速度を確保し再生した上記多重化ストリームを上記ディジタルインターフェースを介して外部に出力することを特徴とするデータ記録及び出力方法。
【請求項１２】
多重化ストリームとともに、上記多重化ストリームの最大ビットレートが記録されていることを特徴とする記録媒体。
【手続補正３】
【補正対象書類名】明細書
【補正対象項目名】０００１
【補正方法】変更
【補正の内容】
【０００１】
【発明の属する技術分野】
本発明は、例えばトランスポートストリーム等の多重化ストリームを記録媒体に記録し、この記録媒体に記録した多重化ストリームをディジタルインターフェースを介して出力するデータ記録装置及び出力装置、データ出力システム、データ記録方法及び出力方法、データ記録及び出力方法、並びに記録媒体に関するものである。
【手続補正４】
【補正対象書類名】明細書
【補正対象項目名】００３０
【補正方法】変更
【補正の内容】
【００３０】
そのため、従来のトランスポートストリーム記録再生装置１０１では、記録されたデータからダミーデータを除去して得られるパーシャルトランスポートストリームの最大ビットレートが、上記所定の記録レート（例えば、１／２−ＳＤモードでは１２．５Ｍｂｐｓ）よりも小さい場合でも、ディジタルインターフェースのデータ転送速度として上記所定の記録レートの大きさを予約して、トランスポートストリームを出力しており、無駄にディジタルインターフェースの帯域を占有していた。
【手続補正５】
【補正対象書類名】明細書
【補正対象項目名】００３１
【補正方法】変更
【補正の内容】
【００３１】
本発明は、このような実情を鑑みてなされたものであり、ディジタルインターフェースの帯域を効率的に利用することができるデータ記録装置及び出力装置、データ出力システム、データ記録方法及び出力方法、データ記録及び出力方法、並びに記録媒体を提供することを目的とする。
【手続補正６】
【補正対象書類名】明細書
【補正対象項目名】００４２
【補正方法】変更
【補正の内容】
【００４２】
このデータ記録及び出力方法では、多重化ストリームの最大ビットレートを検出して、上記多重化ストリームとともに上記最大ビットレートを記録媒体に記録し、多重化ストリームとともに上記最大ビットレートを記録媒体から再生して、上記最大ビットレートに基づきディジタルインターフェースのデータ転送速度を確保する。
さらに、本発明にかかる記録媒体は、多重化ストリームとともに、上記多重化ストリームの最大ビットレートが記録されていることを特徴とする。